(57)【特許請求の範囲】
【請求項１】
複数種のシンボルが表された帯状シートと、外周部に前記帯状シートが貼着されたリール本体とから成る遊戯機用のリールにおいて、前記リール本体は、その全体が合成樹脂材に発光顔料を混練したものを原料として形成されて成る遊戯機用のリール。
【請求項２】
複数種のシンボルが表された帯状シートと、外周部に前記帯状シートが貼着されたリール本体とから成る遊戯機用のリールにおいて、前記リール本体は、その外周部の側縁部が合成樹脂材に発光顔料を混練したものを原料として形成されて成る遊戯機用のリール。
【請求項３】
請求項１または２に記載された複数個のリールが、シンボル表示窓の位置に、それぞれ配置されて成るシンボル可変表示遊戯機。
【請求項４】
請求項１または２に記載された複数個のリールと、各リールの外周面に照明を施すためのリール照明装置とを備えると共に、シンボル表示窓の位置に、各リールがそれぞれ配置されており、
前記リール照明装置は、遊戯中に所定の条件が成立したときに消灯するよう、制御回路によりその動作が制御されて成るシンボル可変表示遊戯機。
【発明の詳細な説明】
【０００１】
【産業上の利用分野】
この発明は、リールを回転させて、リールの外周部に表された複数のシンボルをシンボル表示窓に移動させて表示した後に、リールの回転を停止させて、いずれかのシンボルをシンボル表示窓に表示するスロットマシンやパチンコ遊戯機などのシンボル可変表示遊戯機に関する。特にこの発明は、その種のシンボル可変表示遊戯機に組み込まれる遊戯機用のリールの改良と、その改良されたリールを用いたシンボル可変表示遊戯機とに関する。
【０００２】
【従来の技術】
典型的なスロットマシンでは、前面の正面パネルに、３個のシンボル表示窓が並列して設けてあり、機体の内部の各シンボル表示窓の位置には、３個のリールがそれぞれ配置されている。各リールは個別に回転させることが可能であり、リール停止時には、リール外周面の３駒分のシンボルが各シンボル表示窓を通して前面より視認できる。
【０００３】
前記の各シンボルは、数字，図柄などで構成され、リール枠の外周面に貼着される帯状シートの表面に、シルクスクリーン印刷により描かれている。
前記正面パネルの裏側には、蛍光灯より成るリール照明装置が配置され、リールの外周面に斜め上方より照明を施す。各リールの内部にリール照明装置を配備した機種もあり、リールの内側から照明を施して、リールの外周面にシンボルを浮き立たせる。
【０００４】
【発明が解決しようとする課題】
しかしながら、従来のいずれのリール照明方法も、単にリールの外周部に照明を施して、シンボルを見易くするだけのものであり、遊戯者がリールを凝視してゲームを行うとき、遊戯者の視覚に与える刺激が乏しく、ゲームが単調となる。
【０００５】
ところで、従来のスロットマシンでは、正面パネルの上方などに複数個のランプを配置し、入賞発生時にこれらのランプを点灯させて、入賞の発生を遊戯者へ報知している。ところが遊戯者は、ゲームを行うとき、リールを凝視するため、点灯するランプは遊戯者の視野外にあり、入賞発生の報知効果に欠けるという問題もある。
【０００６】
この発明は、上記問題に着目してなされたもので、リール自体が光る構成とすることにより、遊戯者の視覚に対する刺激を高め、ゲームが単調となるのを防止し、また入賞発生などの報知効果を向上させた遊戯機用のリールおよびそのリールが用いられたシンボル可変表示遊戯機を提供することを目的とする。
【０００７】
【課題を解決するための手段】
請求項１の発明は、複数種のシンボルが表された帯状シートと、外周部に前記帯状シートが貼着されたリール本体とから成る遊戯機用のリールにおいて、前記リール本体は、その全体が合成樹脂材に発光顔料を混練したものを原料として形成されて成る。
【０００８】
請求項２の発明は、複数種のシンボルが表された帯状シートと、外周部に前記帯状シートが貼着されたリール本体とから成る遊戯機用のリールにおいて、前記リール本体は、その外周部の側縁部が合成樹脂材に発光顔料を混練したものを原料として形成されて成る。
【００１１】
請求項３の発明では、請求項１または２に記載された複数個のリールが、シンボル表示窓の位置に、それぞれ配置されて、シンボル可変表示遊戯機が構成される。
【００１２】
請求項４の発明は、請求項１または２に記載された複数個のリールと、各リールの外周面に照明を施すためのリール照明装置とを備えると共に、シンボル表示窓の位置に、各リールがそれぞれ配置されたシンボル可変表示遊戯機であり、前記リール照明装置は、遊戯中に所定の条件が成立したときに消灯するよう、制御回路によりその動作が制御されて成る。
【００１３】
【作用】
請求項１に記載のリールではリール本体の全体が、請求項２に記載のリールではリール本体の外周部の側縁部が、それぞれ発光する。
【００１４】
請求項３のシンボル可変表示遊戯機では、請求項１または２に記載された複数個のリールを備えているので、シンボル表示窓を通して視認される複数個のリールのリール本体の全体または外周部の側縁部が発光する。
【００１５】
請求項４のシンボル可変表示遊戯機では、遊戯中に所定の条件が成立して、リール照明装置が消灯したとき、複数個のリールのリール本体の全体または外周部の側縁部が発光するので、所定の条件が成立したことが遊戯者へ報知される。
【００１６】
【実施例】
図１は、この発明の一実施例であるスロットマシンの外観を示す。
このスロットマシンの機体１は、ボックス形状の本体部２の前面開口に扉部３を開閉可能に取り付けて成る。前記本体部２の中空内部には、図２に示すように、上段位置にリールブロック４や制御回路などの回路基板５が、下段位置に多数枚のメダルを収容するホッパー６ａを有するメダル放出機６が、それぞれ組み込まれている。
【００１７】
前記リールブロック４は、金属フレーム７に３個のリール８ａ，８ｂ，８ｃが一体に組み付けられた構成のものである。各リール８ａ，８ｂ，８ｃは、図３に示すように、リール本体４０と、リール本体４０の外周部４１に貼着される帯状シート４２とから成る。
【００１８】
前記リール本体４０は、中央のボス部４３の外周に放射状の４本の軸状部４４が突設され、各軸状部４４の先端が前記外周部４１に連設されている。
前記外周部４１は、リング状をなす左右の側縁部４５，４５間を複数の連結片４６で連結して、矩形状をなす複数の開口部４７を形成した構造のものである。各側縁部４５には、図４に示すように、全周にわたるリブ状突部４８が突設され、両側縁部４５のリブ状部４８，４８間に前記帯状シート４２が貼設される。
【００１９】
前記帯状シート４２は、図柄、文字、数字などの複数個のシンボルがシルクスクリーン印刷により表されており、その幾つかのシンボルは、入賞を成立させるためのシンボル（以下「入賞シンボル」という。）を構成する。
【００２０】
図５は、リール８ａ，８ｂ，８ｃの他の実施例を示すもので、外周部４１が前記した開口部４７のない筒状面に形成されている。
図５に示すリール８ａ，８ｂ，８ｃでは、外周部４１の筒状面にシンボルが表された複数のシート４９が等間隔に貼設される。
【００２１】
リールブロック４には、各リール８ａ，８ｂ，８ｃを個別に回転駆動するステッピングモータ９ａ，９ｂ，９ｃが組み付けてあり、各ステッピングモータ９ａ，９ｂ，９ｃのモータ軸は各リール８ａ，８ｂ，８ｃのボス部４３に連結している。
【００２２】
図１に戻って、前記扉部３の前面は、各リール８ａ，８ｂ，８ｃのシンボルを表示するための中央に正面パネル１１と、機種名やゲーム情報を表示するための上部パネル１２および下部パネル１３とで構成される。正面パネル１１として透明な強化ガラスやアクリルなどの合成樹脂板が、また上部パネル１２や下部パネル１３として透明なアクリルなどの合成樹脂板が、それぞれ用いられ、各パネルの表面にシルクスクリーン印刷が施されている。
【００２３】
正面パネル１２の板面中央には、カラー印刷層１０（図１０に示す）で囲まれる無着色で透明のシンボル表示窓２０ａ，２０ｂ，２０ｃが３個並設してある。各シンボル表示窓２０ａ，２０ｂ，２０ｃの背後には前記リールブロック４の各リール８ａ，８ｂ，８ｃが位置しており、リール停止時にはリール外周面のシンボルが３駒分だけ視認できるよう、縦長形状に形成されている。
【００２４】
正面パネル１１の表面には、図６に示すように、シンボル表示窓２０ａ，２０ｂ，２０ｃを横切るように、上、中、下、斜めの合成５本の停止ラインＬ１〜Ｌ５が表されており、リール停止時、これら停止ラインＬ１〜Ｌ５上に各リール８ａ，８ｂ，８ｃのシンボルが整列する。これら停止ラインＬ１〜Ｌ５は、メダルの投入枚数が１枚であれば、中央の１本の停止ラインＬ１のみが、２枚であれば、上、中、下の３本の停止ラインＬ１〜Ｌ３が、３枚であれば、５本すべての停止ラインＬ１〜Ｌ５が、それぞれ有効化される。
【００２５】
正面パネル１１の下方には、始動レバー１４、３個の停止釦スイッチ１５ａ，１５ｂ，１５ｃ、メダル投入口１６などが、また下部パネル１３の下方には、メダル放出口１７やメダル受け皿１８が、それぞれ配備される。
【００２６】
前記メダル投入口１６よりメダルが投入されると、その投入枚数に応じた数の停止ラインが有効化され、ついで始動レバー１４が操作されると、３個のリール８ａ，８ｂ，８ｃが一斉に始動する。この後停止釦スイッチ１５ａ，１５ｂ，１５ｃが操作される都度、対応するリール８ａ，８ｂ，８ｃが停止する。このとき、有効化された停止ライン上に、入賞シンボルの組み合わせが成立すると、入賞となり、メダル払出機６の作動により、所定枚数のメダルがメダル放出口１７よりメダル受け皿１８へ放出される。
【００２７】
図７は、この実施例におけるメダル受け皿１８の構造を示す。
図示例のメダル受け皿１８は、メダル放出口１７より放出されたメダルがメダク放出口１７の近傍に溜まってメダル詰まりが生じないように、メダル受け皿１８の底面に、前方へ向けて低く傾斜する傾斜部６０が形成してある。
前記傾斜部６０には、緩衝用のステンレス製の底板６１が設けてあり、底板６１の傾斜上端はメダル放出口１７の開口下端に高さを揃え、傾斜下端は最も深いメダル収容部６２の底面に連続させている。
このような構造のメダル受け皿１８であれば、メダル放出口１７よりメダルが放出されたとき、放出されたメダルは傾斜部６０を滑ってメダル収容部６２に堆積するので、メダル放出口１７の近傍にメダルが溜まるおそれがない。
なお、図示例のメダル受け皿１８では、前記メダル収容部６２の底面は深さを一定にしているが、図中、一点鎖線Ｘで示すように、メダル収容部６２の底面も前方へ低く傾斜させてもよい。
【００２８】
前記した各リール８ａ，８ｂ，８ｃは、リール本体４０の全体に発光機能が付与されており、この実施例では、後述する蛍光灯２１の光をリール８ａ，８ｂ，８ｃに照射した後に光を遮断したとき、各リール８ａ，８ｂ，８ｃのリール本体４０の全体がそれぞれ発光する。
なお、リール本体４０の発光機能は、上記した蓄光機能によるものに限らず、例えば紫外線の照射により発光するようなものであってもよい。
【００２９】
各リール８ａ，８ｂ，８ｃは、ポリカボネートやＡＢＳなどの合成樹脂材に発光顔料を１０〜２０％程度混練したものを原料として型成形されている。前記発光顔料としては、ユーロピウムを賦活剤としてアルカリ性土類のアルミ硼酸塩をベースとしたものなどが用いられる。
【００３０】
前記正面パネル１１の内側には、図８に示すように、蛍光灯２１をリール照明用光源として備えたリール照明装置２２が配設されている。電源投入後、蛍光灯２１を常時点灯させ、各リール８ａ，８ｂ，８ｃの外周面に対して斜め上方より照明を施す。
【００３１】
リール照明装置２２は、前記シンボル表示窓２０ａ，２０ｂ，２０ｃの外側を取り囲むように正面形状が矩形の配線ケース２３を備えており、この配設ケース２３は、正面パネル１１の裏面に固定される。
前記配線ケース２３の上面には、前記蛍光灯２１が水平に配備され、各シンボル表示窓２０ａ，２０ｂ，２０ｃの境界部位には、紫外線放射ランプ２６，２６が縦向きに取り付けられている。
前記紫外線放射ランプ２６として、波長が近紫外領域（３００〜４００ｎｍ）にあるブラックライト蛍光灯（商品名：「ＮＥＣ株式会社製」）が使用される。
【００３２】
前記配線ケース２３には、紫外線放射ランプ２６，２６が発した紫外線をリール８ａ，８ｂ，８ｃに向けて効率良く照射させるために、各紫外線放射ランプ２６，２６の配置部位並びに左右両側部位にそれぞれ反射板２７が配備される。
前記紫外線放射ランプ２６，２６は、一般照明用の蛍光灯２１と平行に設けてもよいが、この例のように、各リール８ａ，８ｂ，８ｃと平行に縦向きに配列すると、各リール８ａ，８ｂ，８ｃの外周面に対して紫外線を均一に照射できる。なお、紫外線放射ランプ２６は、図９に示すように、各リール８ａ，８ｂ，８ｃの内側に設けることも可能であり、この場合に、図示例のような管状のものに限らず、一点鎖線Ｙで示すように、球状のものを用いてもよい。
【００３３】
前記正面パネル１１の裏面には、図１０に示すように、シンボル表示窓２０ａ，２０ｂ，２０ｃを覆うことが可能な大きさに形成されたフィルム３１が貼着されている。このフィルム３１は、前記紫外線放射ランプ２６が放射した紫外線がシンボル表示窓２０ａ，２０ｂ，２０ｃを通して外部に漏洩するのを遮断する。
【００３４】
このフィルム３１として、シンボル表示窓２０ａ，２０ｂ，２０ｃよりシンボルを外部から視認するのを妨げない透明なものであって、紫外線遮断効果の高いもの（紫外線透過率の低いもの）を選択する。
この実施例では、フィルム３１として、傷がつきにくい、表面に耐磨耗性に富むポリエステル素材に紫外線吸収剤を混練したものであって、紫外線を９９％程度遮断でき、かつ５０μｍ程度の薄いシート状の紫外線防止膜材を用いる。
なお、フィルム３１に代えて、紫外線遮断用コーティング層を設けもよい。
【００３５】
上記の実施例では、各リール８ａ，８ｂ，８ｃのリール本体４０を発光顔料を含有する合成樹脂材で形成して、リール本体４０の全体が発光するように構成しているが、リール本体４０の外周部４１のみを発光させたり、外周部４１のうちの一部分、例えば一方または両方の側縁部４５のみを発光させたりすることも可能である。
【００３６】
図１１および図１２は、リール本体４０の外周部４１のうち、両側縁を発光させるようにした実施例を示す。
図１１に示す実施例は、リール本体４０の外周部４１の両側縁部４５，４５に、発光顔料を含有する弾性材をもって形成されたリング状の縁枠部材５０，５０がそれぞれ嵌め込まれたものである。各縁枠部材５０には、リール本体４０の側縁部４５のリブ状突部４８が嵌合する凹部５１が一周して設けられている。
【００３７】
図１２に示す実施例は、リール本体４０の両側面に、発光顔料を含有する合成樹脂材をもって成形されたリング状の縁枠部材５２，５２がそれぞれ装着されたものである。各縁枠部材５２，５２の内側面には複数の係合突起５４が一体突設され、一方、リール本体４０の外側面には各係合突起５４が係合する係合穴５３が形成されており、各係合突起５４を対応する係合穴５３へ係合させることにより縁枠部材５２がリール本体４０の側面に装着される。
【００３８】
なお、上記の各実施例では、発光顔料を含有する合成樹脂材をもってリール本体４０を形成したり、発光顔料を含有させた縁枠部材５０，５２をリール本体４０に装着したりして、各リール８ａ，８ｂ，８ｃのリール本体４０の全体または一部分を発光させているが、これに限らず、少なくともリール本体４０の外周部４１、さらには、図１３に斜線で示すように、外周部４１の一方または両方の側縁部４５に発光塗料を塗布することにより、各リール８ａ，８ｂ，８ｃのリール本体４０の外周部４１や外周部４１の側縁部４５のみを発光させることができる。
【００３９】
前記発光塗料として、アクリル樹脂ワニスと蛍光顔料とを組み合わせ蛍光塗料や、アルキド樹脂ワニスと蓄光性夜光顔料とを組み合わせた蓄光塗料など、任意の発光塗料を用いることが可能である。
なお、上記の各実施例では、リール本体４０のみに発光機能を付与しているが、帯状シート４２の表面に発光顔料を含有する印刷インキを用いてシンボルを印刷すれば、帯状シート４２も発光させることができる。
【００４０】
図１４は、上記したスロットマシンの電気的な構成を示す。
図中、７０は、マイクロコンピュータより成る制御回路であり、制御主体であるＣＰＵ７１、プログラムや固定データが記憶されるＲＯＭ７２、データの読み書きに用いられるＲＡＭ７３を含む。
【００４１】
前記ＣＰＵ７１には、バス７４を介して、始動レバー１４、３個の停止釦スイッチ１５ａ，１５ｂ，１５ｃ、メダルセンサ７５などの入力各部や、メダル払出機６、各リール８ａ，８ｂ，８ｃのリール駆動部７６ａ，７６ｂ，７６ｃなどの出力各部が接続される。
前記メダルセンサ７５はメダル投入口１６へのメダルの投入を検出する。各リール駆動部７６ａ，７６ｂ，７６ｃは各リール８ａ，８ｂ，８ｃのステッピングモータ９ａ，９ｂ，９ｃを駆動する。
【００４２】
図１５は、前記制御回路７０によるスロットマシンの制御の流れを示す。なお図中、ＳＴは制御の各ステップを示す。
同図のスタート時点で電源が投入されると、ＣＰＵ７１は蛍光灯２１を点灯させて各リール８ａ，８ｂ，８ｃに照明を施す（ＳＴ１）。つぎのＳＴ２において、遊戯者がメダルの投入および始動レバー１４の操作によりゲームを開始すると、ＣＰＵ７１は、乱数抽選処理による当選フラグがオンになっているかどうかを判定し（ＳＴ３）、その判定が「ＮＯ」であれば、ＳＴ３からＳＴ４へ進み、ＣＰＵ７１は乱数抽選処理を実行する。
【００４３】
ここで乱数抽選処理とは、図示しない乱数発生器で乱数を発生させ、その発生した乱数が所定の範囲内の値であるかどうかを判定する処理のことである。もし乱数が所定の範囲内の値であれば、「当り」となってＳＴ５からＳＴ６へ進み、ＣＰＵ７１は当選フラグをオンにセットすると共に、リール照明装置２２の蛍光灯２１を消灯し、紫外線放射ランプ２６を点灯する（ＳＴ７）。これにより各リール８ａ，８ｂ，８ｃのリール本体４０は発光顔料により発光し、遊戯者は各リール８ａ，８ｂ，８ｃが光るのを見て、乱数抽選が当たったことを認識する。なお、紫外線放射ランプ２６は、リール本体４０の発光をバックアップして、十分な明るさで発光させかつ十分に長く発光を継続させる。
【００４４】
つぎのＳＴ８で、３個のリール８ａ，８ｂ，８ｃが一斉に回転し、遊戯者が停止釦スイッチ１５ａ，１５ｂ，１５ｃを押操作する度に、対応するリール８ａ，８ｂ，８ｃが回転を停止する。この場合、前記乱数抽選処理で「当り」になっていれば、その「当り」に対応する入賞シンボルが有効化された停止ライン上に停止するよう、各リール８ａ，８ｂ，８ｃの停止動作が制御される。
【００４５】
つぎのＳＴ９では、ＣＰＵ７１は、全てのリール８ａ，８ｂ，８ｃが停止したかどうかを判定しており、その判定が「ＹＥＳ」であれば、ＳＴ９からＳＴ１０へ進み、有効化された停止ライン上に入賞シンボルが揃ったかどうかを判定する。もしＳＴ１０の判定が「ＹＥＳ」であれば、ＳＴ１０からＳＴ１１へ進み、ＣＰＵ７１は、当選フラグがオンになっているかどうかを判定し、もし当選フラグがオンになっていれば、ＳＴ１１からＳＴ１２へ進んで入賞処理を実行する。
ここでの入賞処理は、一般には所定枚数のメダルを払い出すなどの処理を意味するが、特定のシンボルの組み合わせが成立することにより移行する「ボーナスゲーム」の処理も含まれる。従ってこの実施例では、この「ボーナスゲーム」の間も、各リール８ａ，８ｂ，８ｃの発光状態を継続させる。
入賞処理が終了すると、ＣＰＵ７１は、ＳＴ１３で蛍光灯２１を点灯させ、紫外線放射ランプ２６を消灯させた後、ＳＴ２へ戻り、つぎのゲーム開始操作に待機する。
【００４６】
前記の乱数抽選処理（ＳＴ４）の結果、「当り」でない場合は、ＳＴ５の判定は「ＮＯ」となり、ＳＴ６，７はスキップされ、当選フラグはオフのままであり、また蛍光灯２１の点灯状態および紫外線放射ランプ２６の消灯状態が維持される。
もし当選フラグがオフの状態で入賞シンボルが揃うと、ＳＴ１０が「ＹＥＳ」、ＳＴ１１が「ＮＯ」となってＳＴ１４へ進み、ＣＰＵ７１は、リール照明装置２２の蛍光灯２１を消灯し、紫外線放射ランプ２６を点灯した後、ＳＴ１２の入賞処理へ移行する。
【００４７】
前記の入賞判定（ＳＴ１０）の結果、もし外れであれば、ＳＴ１０からＳＴ２へ戻り、つぎのゲーム開始操作に待機する。
なお、当選フラグがオンにセットされた状態で、入賞が得られなかった場合は、つぎのゲームのゲーム開始操作後の当選フラグの判定（ＳＴ３）は「ＹＥＳ」となり、ＳＴ４〜７はスキップされることになる。
【００４８】
この発明は、上記したスロットマシンおよびスロットマシンに用いられるリール８ａ，８ｂ，８ｃに限らず、パチンコ遊戯機およびパチンコ遊戯機に用いられるリールにも実施できるもので、図１６〜図１８には、この発明が実施されたパチンコ遊戯機の外観、電気的構成、および制御手順が示してある。
【００４９】
図１６のパチンコ遊戯機は、機体の前面に遊戯盤８０を備え、遊戯盤８０の下方に、パチンコ玉投入皿８３、パチンコ玉払出口８４、操作ハンドル８５、パチンコ玉受け皿８６などがそれぞれ設けられている。
前記遊戯盤８０は、開閉可能なガラス扉を備え、盤面８１には、多数の障害釘（図示せず）、入賞口８２、アウト口８７が設けられている。盤面８１の中央部にはシンボル表示窓２０ａ，２０ｂ，２０ｃが設けられ、その下方に始動入賞口８８が、さらにその下方に特別入賞口８９が、それぞれ設けられている。
【００５０】
なお、前記パチンコ玉投入皿８３は、ゲームに先立ち、多数個のパチンコ玉を投入する部分であり、操作ハンドル８５を操作して打撃部を作動させると、パチンコ玉投入皿８３より取り込まれたパチンコ玉が盤面８１へ打ち出される。
【００５１】
前記シンボル表示窓２０ａ，２０ｂ，２０ｃの背後には、それぞれリール８ａ，８ｂ，８ｃが配置されており、各シンボル表示窓２０ａ，２０ｂ，２０ｃには、リールの回転時は、リール外周面のシンボルが移動して表示され、リール停止時は、いずれかのシンボルがリール毎に１個表示される。
各リール８ａ，８ｂ，８ｃは、リール本体が発光顔料を含有する合成樹脂材で形成されているが、これに限らず、リール外周部の側縁に発光顔料を含有する合成樹脂材で形成された縁枠部材を装着してもよく、またリール外周部やリール外周部の側縁に発光顔料を含有する塗料を塗布してもよい。
【００５２】
図１７は、上記したパチンコ遊戯機の電気的な構成を示す。
図中、９０はマイクロコンピュータより成る制御回路であり、制御主体であるＣＰＵ９１、プログラムや固定データが記憶されるＲＯＭ９２、データの読み書きに用いられるＲＡＭ９３を含む。
前記ＣＰＵ９１には、バス１０１を介して、複数の入賞玉検知センサ９７、始動入賞玉検知センサ９８、払出玉検知センサ９９、打出玉検知センサ１００などの入力各部や、蛍光灯９４、玉払出機構９５、各リール８ａ，８ｂ，８ｃのリール駆動部９６ａ，９６ｂ，９６ｃなどの出力各部がそれぞれ接続される。
【００５３】
各入賞玉検知センサ９７は、各入賞口８２や特別入賞口８９に設けられ、これら入賞口８２，８９にパチンコ玉が入ったことを検知して電気信号を出力する。始動入賞玉検知センサ９８は、始動入賞口８８に設けられ、この始動入賞口８８にパチンコ玉が入ったことを検知して電気信号を出力する。
払出玉検知センサ９９は、機体内部のパチンコ玉貯留部（図示せず）から前記パチンコ玉払出口８４への払出通路に設けられ、払い出されるパチンコ玉を検知して電気信号を出力する。打出玉検知センサ１００は、打撃部の近傍や遊戯盤８０の玉通路などに設けられ、盤面８１の上部に打ち出されるパチンコ玉を検知して電気信号を出力する。
玉払出機構９５は，パチンコ玉払出口８４にパチンコ玉を払い出すためのもので、入賞口８２，８９のいずれかにパチンコ玉が入ったとき、ＣＰＵ９１からの指令により、パチンコ玉貯留部に貯留されるパチンコ玉を所定数だけ払出通路へ払い出す。
【００５４】
蛍光灯９４は、各リール８ａ，８ｂ，８ｃの外周面を照明するためのもので、各リール８ａ，８ｂ，８ｃの内側に設けられている。
各リール駆動部９６ａ，９６ｂ，９６ｃは、リール毎に設けられたステッピングモータを駆動して各リール８ａ，８ｂ，８ｃを回転させる。
【００５５】
図１８は、前記制御回路９０によるパチンコ遊戯機の制御の流れを示す。
同図のスタート時点で電源が投入されると、ＣＰＵ９１は蛍光灯９４を点灯させて各リール８ａ，８ｂ，８ｃの外周部に内側より照明を施す（ＳＴ１）。
つぎのＳＴ２では、ＣＰＵ９１は、始動入賞口８８にパチンコ玉が入ったかどうかを判定しており、その判定が「ＹＥＳ」であれば、乱数抽選処理を行い、各シンボル表示窓２０ａ，２０ｂ，２０ｃに停止させるシンボルを決定した後、全てのリール８ａ，８ｂ，８ｃを一斉に回転させる。
【００５６】
つぎのＳＴ５では、ＣＰＵ９１は、前記乱数抽選処理により「リーチ」の状態が得られるシンボルの組み合わせが決定されたかどうかを判定しており、その判定が「ＹＥＳ」であれば、蛍光灯９４を消灯させ、これにより各リール８ａ，８ｂ，８ｃを発光させる。
ここで「リーチ」とは、３個のリール８ａ，８ｂ，８ｃのうち、２個のリールが停止した時点で「大当たり」となる可能のあるシンボルの組み合わせが成立する場合をいう。例えば各リール８ａ，８ｂ，８ｃに表された複数種のシンボルのうち、同じシンボルが３個並んだときに「大当たり」となる場合において、２個のリールが停止した段階で同じシンボルが揃うと、前記の「リーチ」の状態となる。
【００５７】
かくして全てのリール８ａ，８ｂ，８ｃが停止したとき、つぎのＳＴ７の判定が「ＹＥＳ」となり、もし「大当たり」であれば、ＳＴ８が「ＹＥＳ」となり、ＣＰＵ９１は特別入賞口８９を開動作させるなどして大当たりの入賞処理を行い（ＳＴ９）、ＳＴ１へ戻って蛍光灯９４を点灯状態に復帰させる。
もし「大当たり」でなければ、ＳＴ８の判定が「ＮＯ」となり、「リーチ」の状態が得られたかどうかが判定され、その判定が「ＹＥＳ」であれば、ＳＴ１へ戻って蛍光灯９４を点灯状態に復帰させ、「ＮＯ」であれば、蛍光灯９４は点灯状態のままであるので、ＳＴ２へ戻る。
【００５８】
【発明の効果】
この発明は上記の如く、リール本体の全体または外周部の側縁部を発光顔料で光らせるから、このリールを遊戯機に用いた場合、遊戯者の視覚に与える刺激が高められ、ゲームが単調となるのを防止できる。
【００５９】
また請求項３の発明では、シンボル可変表示遊戯機に用いられる複数個のリールのリール本体を発光顔料で光らせるようにしたから、遊戯者がリールを凝視してゲームを行うとき、遊戯者の視覚に与える刺激が高められ、ゲームが単調となるのを防止できる。
【００６０】
さらに請求項４の発明では、遊戯中に所定の条件が成立したとき、リール照明装置を消灯させて、複数個のリールのリール本体の全体または外周部の側縁部を光らせるから、リールを凝視する遊戯者は、所定の条件が成立したことをすぐに認識できる。
【図面の簡単な説明】
【図１】この発明の一実施例であるスロットマシンの外観を示す斜視図である。
【図２】スロットマシンの内部構造を示す正面図である。
【図３】リールの外観を示す斜視図である。
【図４】図３のＡ−Ａ線に沿う断面図である。
【図５】リールの他の実施例を示す斜視図である。
【図６】正面パネルの正面図である。
【図７】メダル受け皿の構成を示す断面図である。
【図８】リール照明装置の構成を示す分解斜視図である。
【図９】紫外線放射ランプの他の配置例を示す側面図である。
【図１０】図６のＢ−Ｂ線に沿う断面図である。
【図１１】縁枠部材が用いられたリールの一部を破断した正面図である。
【図１２】縁枠部材の他の実施例を示すリールの正面図である。
【図１３】各リールに発光塗料が塗布されたリールブロックの正面図である。
【図１４】スロットマシンの電気的な構成を示すブロック図である。
【図１５】スロットマシンの制御回路による制御手順を示すフローチャートである。
【図１６】この発明が実施されたパチンコ遊戯機の外観を示す正面図である。
【図１７】パチンコ遊戯機の電気的な構成を示すブロック図である。
【図１８】パチンコ遊戯機の制御回路による制御手順を示すフローチャートである。
【符号の説明】
８ａ，８ｂ，８ｃ  リール
２０ａ，２０ｂ，２０ｃ  シンボル表示窓
２１，９４  蛍光灯
２２  リール照明装置
２６  紫外線放射ランプ
４０  リール本体
４１  外周部
４５  側縁部
５０，５２  縁枠部材
【図１】
0003727463.tif 000002
【図２】
0003727463.tif 000003
【図３】
0003727463.tif 000004
【図４】
0003727463.tif 000005
【図５】
0003727463.tif 000006
【図６】
0003727463.tif 000007
【図７】
0003727463.tif 000008
【図８】
0003727463.tif 000009
【図９】
0003727463.tif 000010
【図１０】
0003727463.tif 000011
【図１１】
0003727463.tif 000012
【図１２】
0003727463.tif 000013
【図１３】
0003727463.tif 000014
【図１４】
0003727463.tif 000015
【図１５】
0003727463.tif 000016
【図１６】
0003727463.tif 000017
【図１７】
0003727463.tif 000018
【図１８】
0003727463.tif 000019